(57)【特許請求の範囲】
【請求項１】
弾性繊維素材の編み込み加工によって全体が伸縮自在の網状袋であって、その開口部を更なる弾力強化による締り構造となし、袋自体の伸縮性と開口部の弾性締まり機能とが相まって対象物の被覆収納を果たす網状袋において、網状袋二枚の開口部がそれぞれ真逆方向となるよう重ね合わせ、双方が合わさる面の凡そ中央位置となる所定箇所を縫付け、表裏双方が同質同仕様となることを特徴とする被覆収納ネット。
【請求項２】
前項の表裏双方が同質同仕様となる網状袋それぞれの内底部に、所定寸法からなる紐輪を備えたことを特徴とする請求項１に記載する被覆収納ネット。
【発明の詳細な説明】
【技術分野】
【０００１】  石鹸ネット及び洗濯ネット等の網状からなる被覆収納袋に関する。
【背景技術】
【０００２】  化学合成の界面活性剤を主原料とした合成洗剤多用に伴い、世界各地で水質汚染に起因した水生動物の異常報告と共に、食物連鎖によって生態系全体に及ぼす危険性が公知されているにも関わらず、日常生活備品としての合成洗浄剤は特に液状洗剤の使用率が高くなってきており、その理由として生産物流の優位性に加え、多彩な容器によるパッケージインテリア性と巧みな広告戦略によって嗜好商材としてのニーズを捉え、その一方で固形石鹸等においては、旧態依然として使用上の不都合要素を抱えこんだ製品仕様のままで、環境を意識したこだわり商材として取り扱われることが多く、環境汚染を考慮した生物分解可能な無公害意見が無視される現状となっている。【０００３】  尚、上述する固形石鹸使用上の不都合要素の一例として、その収納容器についても石鹸箱と称される樹脂製の蓋付き容器に収められるか、露出のまま石鹸置きと称される棚や皿状ラックに据え置かれた状態であり、それらの殆どが水切り不良によって自然溶解状態となって不潔感を与えていることに加え、使用経過によって薄くなった固形石鹸が割れて小さくなり使い勝手が悪く廃棄処分を強いられる結果となる不経済性を指摘され、何れの状況においても固形石鹸が敬遠される要因となっている。【０００４】  また、上述する使用過程で薄く小形化した固形石鹸への対処として、不要のストッキングや果物収納ネット等を被覆用網袋として転用する例もみられ、これら既存廃品の応用に関しては素材形状共に不合理点を無視した一時的代用であり、生活常備品として利便改善を考慮する場合は有効特性と共に専用具としての機能構造が求められる。【０００５】  よって、このような状況の改善に係る石鹸収納ネットの考案が既に多く開示されており、その一例として次の先行技術がある。
【特許文献１】特開２００４−３２９２５９号  この特許文献１によると、収縮性のポリエチレン繊維からなり伸縮性を有するネット袋に小形化した石鹸を収納し、細紐上に開閉補助具を備えた絞り機能によってその開口部を塞ぎ、収納した石鹸を最後まで使用できる考案内容となっているが、他の先行技術の事例にも多く見られるように、袋開口部に開閉に係る絞り補助具を付設する構造形態においては補助具が使用時の肌触りに違和感を与え、また、対象物使用時の収納袋とする単純用途の専用具にあっては、可能な限り余分な付属部品が排除された構成であることが望ましい。
【発明の開示】
【発明が解決しようとする課題】
【０００６】  そこで伸縮性を有する被覆網状袋の開口部を弾性補強による締り構造となし、さらに、その網状袋二枚の開口部を相反させた表裏同仕様によって開閉に係る補助具を一切不要とした被覆収納ネットを提供する。
【課題を解決するための手段】
【０００７】  耐水性と弾力柔軟性を併有した繊維素材の編み込み加工によって全体が伸縮自在となる網状袋の開口部を弾力強化による締り構造となし、さらに、その網状袋二枚の開口部方向がそれぞれ真逆方向となるように重ね合わせ、双方が合わさる面の凡そ中央位置となる所定箇所を縫い付け、表裏双方が同質同様の網状袋となる二重構造とし、その実用手順として、表裏の何れか一方の網状袋に石鹸等の対象物を収納後に、他方を裏返し操作によって収納済み網状袋自体への被覆をなし、開口部が互い違いとなる収納ネットの二重被覆により、全体の伸縮性と弾性補強された開口部保持力との相乗効果が発揮されることによって、開口部の絞り補助具を一切不要とした固形物被覆収納が可能となる。【０００８】  尚、自然状態時の網状袋それぞれの内底部に所定寸法の紐輪を取り付けることによって、一方の網状袋に対象物収納後に他方を裏返し操作した際に底部紐輪が表に出現し、掛け下げ用となる利便性に加えて、吊り下げ時に収納側開口部が上部位置となる保持安定性が付加される。
また、被覆対象を固形石鹸とした場合の網状袋の形状寸法とその伸縮範囲に関しては、二重被覆となる網状袋の網目寸法が小形化した石鹸の流出を阻害しつつ、未使用固形石鹸をも収納可能とする所定の伸縮範囲とする。
【発明の効果】
【０００９】  本発明によれば、網状袋自体の伸縮性に加え弾性補強された開口部による重複被覆となり、相反する両端位置の弾性開口部がそれぞれの保持力を発揮する全体収縮力により、締り機能を補助する一切の付属部品不要となることに加え、更なる効果として対象物を固形石鹸とした場合、全体に余分な付属部位が無いため使用感において滑らかとなる。【００１０】  また、本被覆収納ネットの機能構造を洗濯保護ネットとして応用した場合においては、ファスナー等の開閉にかかる部品類が一切不要となるため、ランジェリー類などの繊細仕上げが求められる場合は他に損傷を与えないクリーニングを可能とし、さらに、裏返し被覆操作により表に現れる内底部の紐輪が吊り下げ水切り乾燥等の保管時に利便性を発揮する。【００１１】  本発明の被覆収納ネットが一切の付属部品が不要であることに加え、伸縮性を有した編状袋の二重被覆となる特徴への多様性を求めた仕様例として、被覆対象物をスポンジ等の不定形弾性からなる小形吸水素材の複数とした場合、キッチン用洗浄備品や泡立て洗顔具等への有効用途が期待されると共に、表裏が同質同仕様の実用効果として、無作為の被覆操作であっても常に同一条件となる安直性に加え耐久性を有し、また、袋単体の網目が比較的粗い場合であっても二重被覆のために対象物の被覆維持が容易となる。
【発明を実施するための最良の形態】
【００１２】  本発明を固形石鹸用とした場合の実証寸法の構成基準例として、自然状態時の被覆収納ネットを概ね３センチ×４センチの長方形となし有効伸縮比を約３倍程度とし、最大拡張時の単体網目寸法が約１センチ四方とした場合であっても実用時は二重被覆となるため、小形化した石鹸を最後まで安定被覆することになる。【００１３】  尚、本発明の被覆収納ネットを構成する繊維素材の特性については、伸縮特性を発揮しつつ強靭且つ柔軟性を有することに加え、一定範囲の耐熱性を有することによって熱湯消毒を含め衛生面を考慮した素材構成とすることが望ましく、また、本発明の趣旨を遵守する限りにおいては、素材構成に伴う複合用途及び自然状態時における網状袋の形状及び寸法を特定するものではない。
【要約】
【課題】  全体の伸縮性と開口部の弾力強化による締り構造の網状袋二枚の重複構造により、被覆開閉に係る補助具を一切不要とした被覆収納ネットを提供する。
【解決手段】  弾性繊維素材の編み込み加工によって全体が伸縮自在となる網状袋の開口部を更なる弾力強化の締り構造となし、その網状袋二枚のそれぞれの開口部方向を互い違いに相反させて重ね合わせて表裏が同質同仕様の二枚構造と為し、一方の網状袋に対象物を収納後に他方を裏返し操作することで開口部方向が真逆の重複被覆となし、袋自体の伸縮性と開口部双方の弾性締まり構造によって開閉に係る補助付属部品を一切不要とすることに加え、網状袋双方のそれぞれ内底部に紐状輪を備えることで裏返し被覆収納時に紐輪が掛け下げ用として表に現れて利便性を発揮する。
【選択図】なし